(57)【要約】【課題】カムシャフトへの取付構造を簡素化したデコンプ装置を提供する。【解決手段】排気カムシャフト１０と、カムシャフトと平行な軸回りに回動可能とされ、デコンプ位置とデコンプ解除位置との間で回動するリリースピン１４０と、カムシャフトが挿入固定される開口１１１を有するデコンププレート１１０と、デコンププレートに揺動可能に取り付けられ遠心力により外径側に回動するウェイト１２０と、ウェイトを内径側に付勢する付勢手段１３０と、ウェイトの外径側への回動と連動してリリースピンを回動させる連動機構１５０とを有するデコンプ装置１００を、デコンププレートは、開口の内周縁部に第１の平面部１１２が形成され、カムシャフトは、第１の平面部と当接する第２の平面部１６が形成されリリースピンの外周面が当接しかつ摺動する支持面部を、第２の平面部と同一平面上に形成した構成とする。【選択図】図５
2016109051.tif 000002
【特許請求の範囲】
【請求項１】
エンジンの排気バルブを開弁させる排気カムを有するカムシャフトと、
前記カムシャフトの回転中心軸と平行な軸回りに前記カムシャフトに対して回動可能とされ、圧縮行程において前記排気バルブを一時的に開弁させるデコンプ位置と、前記排気バルブの開弁を行わないデコンプ解除位置との間で回動するリリースピンと、
前記カムシャフトが挿入される開口を有し前記カムシャフトに固定されるデコンププレートと、
前記デコンププレートに対して前記カムシャフトの回転中心軸から偏心した軸回りに揺動可能に取り付けられ前記カムシャフトの回転速度増加に応じて遠心力により外径側に回動するウェイトと、
前記ウェイトを内径側に付勢する付勢手段と、
前記ウェイトの前記外径側への回動と連動して前記リリースピンを前記デコンプ位置から前記デコンプ解除位置へ回動させる連動機構と
を有するデコンプ装置であって、
前記デコンププレートは、前記開口の内周縁部における一部に第１の平面部が形成され、
前記カムシャフトは、前記デコンププレートの前記第１の平面部と当接する第２の平面部が形成され、
前記カムシャフトにおいて前記リリースピンの外周面が当接しかつ摺動する支持面部を、前記第２の平面部と同一平面上に形成したこと
を特徴とするデコンプ装置。
【請求項２】
前記カムシャフトは外径側に鍔状に張り出したフランジ部を有し、
前記デコンププレートは焼結金属によって形成されるとともに、前記開口の内周縁部に前記フランジ部を収容する段状の凹部を有すること
を特徴とする請求項１に記載のデコンプ装置。
【発明の詳細な説明】
【技術分野】
【０００１】
本発明は、４ストロークエンジンに設けられるデコンプ装置に関し、特にカムシャフトへの取付構造を簡素化したものに関する。
【背景技術】
【０００２】
比較的小型のスタータモータや手動のリコイルスタータ等によって始動を行う４ストロークエンジンにおいては、始動時に圧縮行程で排気バルブを一時的に開弁させることによって筒内圧力を低減し、クランキングに要するトルクを低減するデコンプ装置が設けられる。
デコンプ装置は、設定以下の回転数において排気バルブを開弁させてデコンプを行うデコンプカム軸、回転数増加時に遠心力によって揺動しデコンプカム軸を回動させてデコンプを解除するウェイト、低回転時にウェイトを初期位置に戻すスプリング等を有して構成されている。
【０００３】
デコンプ装置に関する従来技術として、例えば特許文献１には、単気筒ＤＯＨＣエンジンの排気カムシャフトを駆動するカムスプロケットに、ウェイトを揺動可能に取り付けるとともに、カムスプロケットを貫通するようにデコンプカム軸を配置する構成が記載されている。
【０００４】
しかし、例えば同一のカムシャフトによって複数気筒のバルブを駆動するエンジンにおおいて、各気筒でデコンプを行うためには、カムスプロケットとは別にデコンプ装置の基部となる円盤状のデコンププレートを設けて、デコンププレートにウェイト等を設けるとともに、デコンププレートをカムシャフトに固定することが必要となる。
回転軸に他部品を相対回転しないように固定する技術として、例えば特許文献２には、カムシャフトに対してカムスプロケットを、塑性変形を利用した圧入やスプライン嵌合を利用して固定することが記載されている。
また、特許文献３には、送風ファンを回転軸に取り付ける技術において、回転軸がほぼＤ字状の断面となるように平面部を形成し、送風ファン側にもこの平面部と当接する平面部を形成することが記載されている。
【先行技術文献】
【特許文献】
【０００５】
【特許文献１】特開２０１１−１４９３４０号公報
【特許文献２】特開平７−０２６９１０号公報
【特許文献３】特開平８−２４７０８９号公報
【発明の概要】
【発明が解決しようとする課題】
【０００６】
デコンププレートをカムシャフトに取り付ける際に、塑性変形を利用した圧入とした場合には、エンジンの修理、分割整備等の際の部品の取り外しや再利用が困難となる。
また、スプライン嵌合を用いる場合、スプライン孔、スプライン軸を形成するための機械加工が煩雑となる。
Ｄ字断面を用いた場合、比較的簡単な加工によってデコンププレートの回り止めを行うことが可能であるが、カムシャフトにＤ字カット状の平面部を形成し、さらにこれと隣接してリリースピンが保持され摺動する支持面部（動作座面）を形成することになり、複数工程の切削加工が必要となって機械加工が煩雑となる。
さらに、例えばノックピンやキー等の位置決め用の別部品を用いることも考えられるが、この場合は加工工数の増加とともに部品点数も増加してしまう。
上述した問題に鑑み、本発明の課題は、カムシャフトへの取付構造を簡素化したデコンプ装置を提供することである。
【課題を解決するための手段】
【０００７】
本発明は、以下のような解決手段により、上述した課題を解決する。
請求項１に係る発明は、エンジンの排気バルブを開弁させる排気カムを有するカムシャフトと、前記カムシャフトの回転中心軸と平行な軸回りに前記カムシャフトに対して回動可能とされ、圧縮行程において前記排気バルブを一時的に開弁させるデコンプ位置と、前記排気バルブの開弁を行わないデコンプ解除位置との間で回動するリリースピンと、前記カムシャフトが挿入される開口を有し前記カムシャフトに固定されるデコンププレートと、前記デコンププレートに対して前記カムシャフトの回転中心軸から偏心した軸回りに揺動可能に取り付けられ前記カムシャフトの回転速度増加に応じて遠心力により外径側に回動するウェイトと、前記ウェイトを内径側に付勢する付勢手段と、前記ウェイトの前記外径側への回動と連動して前記リリースピンを前記デコンプ位置から前記デコンプ解除位置へ回動させる連動機構とを有するデコンプ装置であって、前記デコンププレートは、前記開口の内周縁部における一部に第１の平面部が形成され、前記カムシャフトは、前記デコンププレートの前記第１の平面部と当接する第２の平面部が形成され、前記カムシャフトにおいて前記リリースピンの外周面が当接しかつ摺動する支持面部を、前記第２の平面部と同一平面上に形成したことを特徴とするデコンプ装置である。
これによれば、カムシャフトに対してデコンププレートとの相対回動防止に用いられる第２の平面部を機械加工（切削加工）によって形成する際に、リリースピンの支持面部（動作座面）も同一平面上に同時に形成することによって、機械加工を容易化しかつ部品点数の増加を防止しつつデコンププレートの回動防止及びリリースピンの支持を成立させることができる。
【０００８】
請求項２に係る発明は、前記カムシャフトは外径側に鍔状に張り出したフランジ部を有し、前記デコンププレートは焼結金属によって形成されるとともに、前記開口の内周縁部に前記フランジ部を収容する段状の凹部を有することを特徴とする請求項１に記載のデコンプ装置である。
これによれば、デコンププレートを焼結金属によって比較的安価に製作することができ、さらに、加工の容易性、強度、及び、カムシャフトへの取付精度などを両立させることができる。
【発明の効果】
【０００９】
以上説明したように、本発明によれば、カムシャフトへの取付構造を簡素化したデコンプ装置を提供することができる。
【図面の簡単な説明】
【００１０】
【図１】本発明を適用したデコンプ装置の実施例が取り付けられたカムシャフトを径方向から見た図であって、デコンプ状態を示す図である。
【図２】図１のII−II部矢視図である。
【図３】図２のIII−III部矢視断面図である。
【図４】図１のIV−IV部矢視断面図である。
【図５】実施例１のデコンプ装置の外観斜視図である。
【図６】デコンプ解除状態における実施例のデコンプ装置をデコンプウェイト側から見た図である。
【図７】図６のVII−VII部矢視断面図である。
【図８】デコンプ解除状態における実施例のデコンプ装置をデコンプカム側から見た図である。
【発明を実施するための形態】
【００１１】
本発明は、カムシャフトへの取付構造を簡素化したデコンプ装置を提供する課題を、カムシャフトの一部にデコンププレートの相対回転を防止するＤカット状の平面部を形成してデコンププレートを係合させるとともに、この平面部をカムシャフトの軸方向に延長し、リリースシャフトの支持面としても利用することによって解決した。
【実施例】
【００１２】
以下、本発明を適用したデコンプ装置の実施例について説明する。
実施例のデコンプ装置は、例えば、ＡＴＶ等の小型車両に走行用動力源として搭載される４ストロークＤＯＨＣ４バルブ直列二気筒のガソリンエンジンに設けられるものである。
図１は、実施例のデコンプ装置が取り付けられたカムシャフトを径方向から見た図であって、デコンプ状態を示す図である。
図２は、図１のII−II部矢視断面図である。
図３は、図２のIII−III部矢視断面図である。
図４は、図１のIV−IV部矢視断面図である。
図５は、実施例１のデコンプ装置の外観斜視図であって、第１気筒側から見た図である。
【００１３】
デコンプ装置１００は、図示しない排気バルブを駆動する排気カムシャフト１０に設けられている。
排気カムシャフト１０は、第１気筒排気カム１１、第２気筒排気カム１２、スプロケット取付部１３、デコンププレート取付フランジ１４、リブ部１５、平面部１６等を有して構成されている。
【００１４】
排気カムシャフト１０は、図示しないシリンダヘッドに、吸気バルブを駆動する吸気カムシャフトと平行に設けられている。
排気カムシャフト１０は、図示しないカムスプロケット及びクランクスプロケットに巻き掛けられるタイミングチェーンによって、エンジンの出力軸である図示しないクランクシャフトの１／２の回転速度で同期して回転する。
【００１５】
第１気筒排気カム１１、第２気筒排気カム１２は、図示しない第１気筒及び第２気筒の燃焼室から排ガス（既燃ガス）を排出する排気ポートを開閉する排気バルブをそれぞれ駆動するものである。
各気筒は、排気バルブをそれぞれ２本有し、第１気筒排気カム１１、第２気筒排気カム１２は、各排気バルブごとに実質的に同一のカム形状を有するものがそれぞれ設けられる。
ここで、各気筒の排気バルブのうち、デコンプ装置１００に近接する側の排気バルブがデコンプに用いられる。
【００１６】
スプロケット取付部１３は、排気カムシャフト１０における第１気筒側の端部に設けられ、図示しないカムスプロケットが取り付けられる部分である。
【００１７】
デコンププレート取付フランジ１４（図５参照）は、デコンプ装置１００のデコンププレート１１０が取り付けられる基部となる部分である。
デコンププレート取付フランジ１４は、排気カムシャフト１０の外周面から外径側へ鍔状へ張り出して形成された平板状の部分である。
デコンププレート取付フランジ１４は、排気カムシャフト１０の本体と一体に形成されている。
第１気筒用のデコンプ装置１００が取り付けられるデコンププレート取付フランジ１４は、排気カムシャフト１０の軸方向において、第１気筒排気カム１１とスプロケット取付部１３との中間に配置されている。
【００１８】
リブ部１５は、排気カムシャフト１０の周上における一部の領域を外径側に張り出させて、排気カムシャフト１０の軸方向に延在させて形成された部分である。
リブ部１５は、排気カムシャフト１０の軸方向において、デコンププレート取付フランジ１４と第１気筒排気カム１１との間にわたして延在するよう形成されている。
【００１９】
平面部１６は、リブ部１５の突端部（排気カムシャフト１０の外径側の端部）からデコンププレート取付フランジ１４の外周縁部の一部にかけて形成された平面状の部分である。
平面部１６は、リブ部１５の突端部及びデコンププレート取付フランジ１４の外周縁部を、排気カムシャフト１０の径方向と直交する平面に沿って機械加工（切削加工）することによって形成されている。
平面部１６を設けたことによって、デコンププレート取付フランジ１４は、排気カムシャフト１０の軸方向から見た平面形がいわゆるＤ字状にカットされて形成されている。
平面部１６は、デコンプ装置１００のデコンププレート１１０が排気カムシャフト１０に対して相対回転することを防止する回動防止手段、及び、リリースピン１４０の外周面と当接して摺動するリリースピン１４０の支持面部（動作座面）としても機能する。
この点については、後に詳しく説明する。
【００２０】
デコンプ装置１００は、エンジンの始動時において、圧縮行程において一時的に一方の排気バルブを開弁させて圧縮された空気を排気管に逃し、筒内圧力を低減してクランキングに要するトルクを低下させるものである。
デコンプ装置１００は、第１気筒用、第２気筒用にそれぞれ設けられる。
以下、第１気筒用のデコンプ装置１００について説明するが、第２気筒用のデコンプ装置も実質的に同様の構成を備えている。
【００２１】
デコンプ装置１００は、上述した排気カムシャフト１０に加えて、さらにデコンププレート１１０、デコンプウェイト１２０、スプリング１３０、リリースピン１４０、連動ピン１５０等を有して構成されている。
【００２２】
デコンププレート１１０は、デコンプウェイト１２０、スプリング１３０、リリースピン１４０等が取り付けられる基部となる部材である。
デコンププレート１１０は、例えば焼結金属によって、排気カムシャフト１０と実質的に同心に配置された円盤状に一体に形成されている。
デコンププレート１１０の中央部には、排気カムシャフト１０が挿入される開口１１１が形成されている。
開口１１１の内周縁部における一部には、排気カムシャフト１０の平面部１６と実質的に面接触で当接する平面部１１２が形成されている。
平面部１１２は、開口１１１の外周縁部の一部を、接線方向と平行な直線（弦）に沿って平板状に形成したものであって、その結果、開口１１１を排気カムシャフト１０の軸方向から見た平面形は、いわゆるＤ字状に形成されている。
平面部１１２の表面は機械加工（切削加工）によって仕上げられている。
平面部１１２を除くデコンププレート１１０の表面は、実質的に全部が焼結時に形成される。
【００２３】
開口１１１の内周縁部におけるデコンププレート取付フランジ１４側には、デコンププレート１１０の表面を段状に凹ませて形成した段部１１３（図５参照）が形成されている。
段部１１３の内部には、排気カムシャフト１０のデコンププレート取付フランジ１４が埋め込まれ、収容される。
デコンププレート１１０は、段部１１３の内部に収容されたデコンププレート取付フランジ１４と、デコンププレート１１０に対してデコンププレート取付フランジ１４の反対側に設けられるＣリング１１４によって排気カムシャフト１０に固定される。
Ｃリング１１４は、排気カムシャフト１０の外周面に形成される周方向溝に嵌め込まれる。
このとき、デコンププレート１１０は、平面部１１２が排気カムシャフト１０の平面部１６と実質的に面接触することによって、排気カムシャフト１０に対してその中心軸回りに相対回転することが防止される。
【００２４】
デコンプウェイト１２０は、デコンププレート１１０に対して揺動可能に取り付けられ、エンジンの回転速度増加に応じて遠心力により揺動し、リリースピン１４０を駆動する錘である。
デコンプウェイト１２０は、排気カムシャフト１０の軸方向から見た平面形が、例えばデコンププレート１１０の周方向にほぼ沿って円弧状に湾曲した金属プレートとして形成されている。
デコンプウェイト１２０の一方の端部には、円柱状の軸部であるピボット１２１が設けられている。
ピボット１２１は、排気カムシャフト１０と平行かつ排気カムシャフト１０の中心軸に対して偏心して配置された回転軸であって、デコンプウェイト１２０は、ピボット１２１の中心軸回りに、デコンププレート１１０に対して所定の角度範囲内で揺動（回動）可能となっている。
ピボット１２１は、デコンプウェイト１２０に対してデコンププレート１１０側とは反対側にデコンプウェイト１２０の脱落を防止するフランジ部を有する。
ピボット１２１のデコンププレート１１０側の端部は、デコンププレート１１０に形成された開口に挿入され固定されている。
【００２５】
スプリング１３０は、デコンプウェイト１２０のピボット１２１の排気カムシャフト１０側に隣接して形成された開口１２２、及び、デコンププレート１１０の外周縁部に形成された凹部１１５との間にわたして設けられた引張コイルバネである。
凹部１１５は、デコンププレート１１０においてピボット１２１の中心軸及び開口１１１の中心軸を通る直線に対し対称に２箇所設けられ、第１気筒、第２気筒のデコンプ装置１００で共通部品のデコンププレート１１０を利用可能となっている。
【００２６】
スプリング１３０は、デコンプウェイト１２０の中間部が排気カムシャフト１０の中心軸側に引き寄せられるようデコンプウェイト１２０を付勢する。
デコンプウェイト１２０は、排気カムシャフト１０の回転速度が低い状態においては、スプリング１３０の付勢力がデコンプウェイト１２０に作用する遠心力に打ち勝つことによって、排気カムシャフト１０の中心軸側に引き寄せられた状態となっている。
排気カムシャフト１０の回転速度が増加すると、デコンプウェイト１２０に作用する遠心力がスプリング１３０の付勢力に打ち勝ってデコンプウェイト１２０が揺動し、スプリング１３０は伸長する。
【００２７】
リリースピン１４０は、外周面部が排気カムシャフト１０の平面部１６に当接するように排気カムシャフト１０と平行に配置された円柱状の回転軸（デコンプカム軸）である。
リリースピン１４０は、排気カムシャフト１０の軸方向において、デコンプウェイト１２０近傍の領域から、第１気筒排気カム１１に隣接する領域にわたって延在している。
リリースピン１４０は、デコンププレート１１０に形成された開口に挿入され、外周面がこの開口の内周面及び平面部１６に対して摺動することによって、その中心軸回りに排気カムシャフト１０に対して回転可能となっている。
リリースピン１４０は、デコンプカム部１４１、連動ピン挿入孔１４２等が形成されている。
【００２８】
デコンプカム部１４１は、エンジンの回転速度が低いときに、圧縮行程において一時的に図示しないバルブリフタを押圧し、排気バルブを開弁させる部分である。
デコンプカム部１４１は、リリースピン１４０の第１気筒排気カム１１側の端部近傍に形成されている。
デコンプカム部１４１は、リリースピン１４０の外周面部の一部に平面部１４１ａを形成することによって、ほぼＤ字状の断面となっている。
デコンプカム部１４１は、デコンプ状態においては、平面部１４１ａ以外の領域（外周面）がバルブリフタ側（排気カムシャフト１０の外径側）に配置され、第１気筒排気カム１１のベース円径よりも外径側に張り出した状態となっている。
この状態においては、デコンプカム部１４１は、排気カムシャフト１０と同伴して回転する際に、バルブリフタと干渉して排気バルブを一時的に開弁させるデコンプを行う。
また、デコンプカム部１４１は、デコンプ解除状態においては、平面部１４１ａがバルブリフタ側に配置され、第１気筒排気カム１１のベース円径よりも内径側に収容された状態となっている。
この状態においては、デコンプカム部１４１はバルブリフタと実質的に干渉せず、排気バルブは第１気筒排気カム１１によってのみ開弁される。
【００２９】
連動ピン挿入孔１４２は、リリースピン１４０のデコンプウェイト１２０側の端部近傍に形成され、連動ピン１５０が挿入される部分である。
連動ピン挿入孔１４２は、リリースピン１４０の直径にほぼ沿って形成された貫通穴である。
【００３０】
連動ピン１５０は、デコンプウェイト１２０のピボット１２１側とは反対側の端部と、リリースピン１４０の連動ピン挿入孔１４２との間にわたして設けられ、デコンプウェイト１２０の端部の排気カムシャフト１０の外径側への揺動と連動して、リリースピン１４０をその中心軸回りに回動させてデコンプ位置からデコンプ解除位置へ推移させる連動部材である。
【００３１】
以下、実施例のデコンプ装置１００の動作について説明する。
エンジンの始動時においては、デコンプウェイト１２０がスプリング１３０によって排気カムシャフト１０の中心軸側（内径側）に引き寄せられた状態となっている。
このとき、リリースピン１４０のデコンプカム部１４１は、平面部以外の領域が第１気筒排気カム１１のベース円よりも外径側に張り出したデコンプ状態（デコンプ位置）となっており、この状態で排気カムシャフト１０が回転すると、圧縮行程においてデコンプカム部１４１がバルブリフタを押圧し、排気バルブを一時的に開弁させてデコンプを行う。
【００３２】
その後、エンジンが始動（完爆）し、回転速度が所定の設定値以上に増加すると、デコンプウェイト１２０に作用する遠心力がスプリング１３０の付勢力に打ち勝って、デコンプウェイト１２０は、ピボット１２１を中心として、他端部が排気カムシャフト１０の外径側へ変位する方向へ揺動する。
図６は、デコンプ解除状態における実施例のデコンプ装置をデコンプウェイト側から見た図（デコンプ状態における図２に相当する図）である。
図７は、図６のVII−VII部矢視断面図（デコンプ状態における図３に相当する図）である。
図８は、デコンプ解除状態における実施例のデコンプ装置をデコンプカム側から見た図（デコンプ状態における図４に相当する図）である。
このとき、リリースピン１４０は、連動ピン１５０によって回動され、デコンプカム部１４１が第１気筒排気カム１１のベース円内に引き込まれるデコンプ解除状態（デコンプ解除位置）となる。
これによって、デコンプカム部１４１はバルブリフタと干渉しなくなり、デコンプ装置１００はデコンプを中止する。
また、エンジンの運転停止により、排気カムシャフト１０の回転速度が設定値を下回るまで低下した場合には、デコンプウェイト１２０はスプリング１３０の付勢力によって、当初のデコンプ状態に復帰する。
【００３３】
以上説明した実施例によれば、排気カムシャフト１０においてデコンププレート１１０の相対回転防止と、リリースピン１４０の支持を、フランジ部１４からリブ部１５にかけて同一平面に沿って形成された平面部１６によって行うことによって、機械加工を容易化しかつ部品点数の増加を防止しつつデコンププレートの回動防止及びリリースピンの支持を成立させることができる。
また、デコンププレート１１０を焼結金属によって形成し、開口１１１の内周縁部に段状の凹部である段部１１３を設けて排気カムシャフト１０のフランジ部１４を収容することによって、デコンププレート１１０を比較的安価に製作するとともに、加工の容易性、強度、及び、カムシャフトへの取付精度などを両立させることができる。
【００３４】
（変形例）
本発明は、以上説明した実施例に限定されることなく、種々の変形や変更が可能であって、それらも本発明の技術的範囲内である。
（１）エンジン及びデコンプ装置の構成は、上述した実施例に限定されず適宜変更することができる。例えば各部材の形状、構造、材質、製法、数量などは、適宜変更することが可能である。
（２）実施例において、エンジンは例えばＤＯＨＣ２気筒のものであるが、ＳＯＨＣエンジンや、単気筒のエンジンにも適用することが可能である。
（３）デコンプウェイトの形状や、リリースピンとの連動機構は、実施例の構成に限らず適宜変更することが可能である。
例えば、デコンプウェイトに形成されたカム溝によってリリースピンに設けられたカムフォロワを案内するカム機構を有する構成としてもよい。
【符号の説明】
【００３５】
１０    排気カムシャフト              １１    第１気筒排気カム
１２    第２気筒排気カム              １３    スプロケット取付部
１４    デコンププレート取付フランジ  １５    リブ部
１６    平面部
１００    デコンプ装置                １１０    デコンププレート
１１１    開口                        １１２    平面部
１１３    段部                        １１４    Ｃリング
１１５    凹部                        １２０    デコンプウェイト
１２１    ピボット                    １３０    スプリング
１４０    リリースピン                １４１    デコンプカム部
１４１ａ  平面部                      １４２    連動ピン挿入孔
１５０    連動ピン
【図１】
2016109051.tif 000003
【図２】
2016109051.tif 000004
【図３】
2016109051.tif 000005
【図４】
2016109051.tif 000006
【図５】
2016109051.tif 000007
【図６】
2016109051.tif 000008
【図７】
2016109051.tif 000009
【図８】
2016109051.tif 000010